(57)【特許請求の範囲】
【請求項１】
作動状態と非作動状態に切換え可能で、作動状態でスライドドアを全開位置よりも手前の中間位置まで開くと、スライドドアをその位置で停止させると共にその位置で保持する中間ストッパ機構と、前記中間ストッパ機構を前記作動状態から前記非作動状態へ切換えるための操作機構と、前記中間ストッパ機構が前記非作動状態にある状態で前記スライドドアを前記中間位置よりも全閉位置側の所定位置まで閉じると、前記中間ストッパ機構を前記作動状態に切換える自動復帰機構とを備えることを特徴とする車両用スライドドアの中間位置保持装置。
【発明の詳細な説明】
【０００１】
【発明の属する技術分野】
本発明は車両のスライドドアの中間位置保持装置に関し、特に、全開位置より手前の中間位置でスライドドアを保持できるようにしたスライドドア中間位置保持装置に関する。
【０００２】
【従来の技術】
商用車等において、大型荷物の荷扱いをする場合等にはスライドドアを可能な限り大きく開いてスムーズな荷扱いを行いたいとする要請がある。一方、乗員の乗降時にスライドドアを必要以上に大きく開くことは、ドアの開け閉めに過度な労力を要するという問題がある。
【０００３】
ここで、特許文献１には、スライドドアの窓開口を開けた状態でドア開閉を行った場合の物体の挟み込みを防止するために、上記窓開口の窓ガラスを下降させた状態でスライドドアを開放すると、スライドドアが全開位置よりも手前の中間位置まで開いたときにスライドドアに設けられたラッチが、車体に設けられた中間ストライカに係合して、スライドドアの全開放が規制されるようにしたスライドドアのストッパ機構が示されている。
【特許文献１】
特開２００１−２７７８５５
【０００４】
【発明が解決しようとする課題】
しかし、上記特許文献１に記載のストッパ機構は、ラッチと中間ストライカが係合した状態で、ラッチは一方の係合解除方向への回動が禁止されているだけなので、傾斜地ではスライドドアの閉方向への移動に伴いラッチと中間ストライカとの係合が解除されてしまい、スライドドアを中間位置で保持しておくことができなかった。
【０００５】
そこで、本発明はこのような課題を解決するもので、全開規制されたスライドドアを確実に中間位置で保持できる車両のスライドドアの中間位置保持装置を提供することを目的とする。
【０００６】
【課題を解決するための手段】
上記目的を達成するために、本発明では、作動状態と非作動状態に切換え可能で、作動状態でスライドドアを全開位置よりも手前の中間位置まで開くと、スライドドアをその位置で停止させると共にその位置で保持する中間ストッパ機構（３２，４１，４２，４３）と、中間ストッパ機構を作動状態から非作動状態へ切換えるための操作機構（５）と、中間ストッパ機構が非作動状態にある状態でスライドドアを中間位置よりも全閉位置側の所定位置まで閉じると、中間ストッパ機構を作動状態に切換える自動復帰機構（３３）とを備えている。上記操作機構として例えば、スライドドアのドア開閉ハンドルをドア開閉方向へ一定範囲で移動操作可能としたものを使用することができる。この場合、上記中間ストッパ機構として、スライドドア側に設けられて進出方向へ付勢されるとともにドア開閉ハンドル（５）の閉方向操作で退入させられるストッパ体（４１）と、ストッパ体（４１）を退入位置で係止し保持する係止手段（４２，４３）とを具備させるとともに、上記自動復帰機構として、車体側に設けられて上記係止手段（４３）に当接してその係止状態を解消する復帰手段（３３）を具備させるようにしても良い。
【０００７】
本発明によれば、スライドドアは作動状態にある中間ストッパ機構によって全開位置よりも手前の中間位置で停止させられてここで保持される。したがって、全開規制されたスライドドアを確実に中間位置で保持することができる。そして、操作機構によって中間ストッパ機構を作動状態から非作動状態へ切換えることで、中間位置でのドア保持の解消を簡易に行なって、スライドドアを再び閉鎖方向あるいは開放方向へ作動させることができる。
【０００８】
なお、上記カッコ内の符号は、後述する実施形態に記載の具体的手段との対応関係を示すものである。
【０００９】
【発明の実施の形態】
図１において、スライドドア（図示略）の下縁から車両内方へ向けて突設されたステーＳの先端には、水平面内で回動自在にブラケットＢが結合されており、ブラケットＢには、車両前後方向（図１の左右方向）へ延びる車体側のロアガイドレール（図示略）内に位置してこれに沿って転動する水平ローラ１１と、ドア荷重を支持してロッカパネル上を転動する垂直ローラ１２が設けられている。
【００１０】
上記ステーＳには全開保持機構を構成するラッチ２１が設けられている。ラッチ２１は基端が、ステーＳ上に設けたカバー板２３との間に立設された支軸２２により水平面内で回動自在に支持されており、先端には、ドア全開位置に設けられた全開保持機構を構成するストライカピン３１を受け入れてこれと係合する切欠き２１１が形成されている。また、ステーＳには、ラッチ２１よりも車両前方のドア閉鎖方向寄りに、中間ストッパ機構を構成する棒状のストッパ部材４１が車両内方へ向けて突出させてある。また、ロアガイドレールに沿ってドア全開位置よりも手前の中間位置に、中間ストッパ機構を構成し後述するように上記ストッパ部材４１が進入係合するストライカ部材３２が設けられている。
【００１１】
スライドドア（図示略）の外面に設けられたドア開閉ハンドル５は、外端部５１を掴んでスライドドアを車両前後方向へ開閉作動させるためのものであるとともに、垂直支軸５２を中心にドア開閉方向へ一定範囲で回動可能とされて、詳細を後述する中間ストッパ機構を作動状態から非作動状態へ切換えるための操作機構を兼ねている。ドア開閉ハンドル５の内端５３は棒状の連結部材６１によってスライドドア内に設けられたレバー体６２に連結されている。すなわち、レバー体６２はその中間位置が支軸６３に支持されて回動可能であり、連結部材６１の端部はレバー体６２の一端部に形成された長孔６２１内に摺動可能に配設されたスライダ６４に結合されている。ドア開閉ハンドル５をドア開放方向へ操作した場合には（図１の矢印）、スライダ６４が長孔６２１の一端からこれに沿って他端に向けて移動するだけでレバー体６２は回動操作されない。反対に、ドア開閉ハンドル５をドア閉鎖方向へ操作すると、スライダ６４が長孔６２１の一端に押しつけられた状態でレバー体６２が回動操作され、その他端に連結された操作ワイヤ６５が引かれる。操作ワイヤ６５はステーＳ上に設けられた、以下に作動を詳述する全開保持機構と中間ストッパ機構に至っている。
【００１２】
図２において、全開保持機構は上記ラッチ２１とラチェット２４で構成されている。ラッチ２１は図略のバネ部材によってその切欠き２１１を斜め後方のドア開放方向へ向けた姿勢に付勢されている。ラッチ２１の切欠き２１１形成部とは反対側の外周には係止凸部２１２が形成されて、これの頂面にラチェット２４の先端が当接している。ラチェット２４は略Ｌ字形の板体で、その屈曲部がステーＳに設けた支軸２４１に回転自在に支持されている。そして、ラチェット２４の鉤型に屈曲した先端２４２が係止凸部２１２の頂面に当接するとともに、ラチェット２４の基端には、上記レバー体６２（図１）から至った操作ケーブル６５が連結されている。なお、ラチェット２４は図略のバネ部材によってその先端２４２がラッチ２１の係止凸部２１２の方向へ回転付勢されている（図２の矢印）。
【００１３】
中間ストッパ機構はストッパ体４１、支持体４２、ラチェット４３およびストライカ部材３２で構成されており、図２は中間ストッパ機構が作動状態にある場合を示している。図２において、ステーＳ（図１）に設けられたストッパ体４１の基端は板状支持体４２の先端に回動可能に結合されており、支持体４２の基端はステーＳに立設された支軸４２１に回動可能に支持されて、図略のバネ部材によって、ストッパ体４１を車両内方（図２の下方）へ進出させる方向へ回転付勢している（図２の矢印）。なお、ストッパ体４１は図略のガイド部材に案内されて直線的に進退するようになっている。支持体４２に隣接してラチェット４３が設けられて、その先端爪部４３２が、支持体４２の基端外周に突出形成された爪部４２２の背面に当接している。なお、ラチェット４３はステーＳに立設された支軸４３１に基端が回動可能に支持され、図略のバネ部材によって、その先端爪部４３２が支持体４２の基端に向かう方向へ回転付勢されている（図２の矢印）。
【００１４】
ストッパ体４１の基端が結合された支持体４２の先端は、ワイヤ状連結部材４４によってラチェット２４の基端と連結されている。ここで、ストライカ部材３２は車両外方へ向けて山型に突出する内端面３２ａを有しており、内端面３２ａの頂部中央にはストッパ体４１が進入できる大きさの開口３２１が形成されている。また、図３に示すように、ドア全閉位置近くのロアガイドレール３４には自動復帰機構を構成する復帰ピン３３が設けられている。すなわち、ロアガイドレール３４にはドア全閉位置近くの湾曲部上面に車両外方へ突出させて板状ステー３３１が設けてあり、その先端面に上記復帰ピン３３が下方へ向けて突設してある。
【００１５】
このような構造の中間位置保持装置において、ドア開閉ハンドル５をドア開放方向へ操作して、スライドドアをドア全閉位置からドア全開位置よりも手前の中間位置へ向けて車両後方の開放方向へ作動させている場合には、全開保持機構を構成するラッチ２１とラチェット２４、および中間ストッパ機構を構成するストッパ体４１、支持体４２、ラチェット４３は既に説明した図２に示す状態にある。この状態でスライドドアが中間位置付近に至ると、ストライカ部材３２が、突出するストッパ体４１に対して図２の鎖線から実線で示すように相対的に接近する。ストッパ体４１はストライカ部材３２の接近に伴って、先端がストライカ部材３２の山型内端面３２ａの斜面に当接し、これに沿って頂部方向へ相対移動しつつドア内へ後退させられた後、バネ付勢力によって実線で示すようにストライカ部材内端面３２ａの開口３２１内に進入させられる。これにより、スライドドアは全開位置よりも手前の中間位置で停止させられるとともに開閉方向への移動が規制されてその位置で保持される。
【００１６】
スライドドアを再び閉鎖したい場合には、ドア開閉ハンドル５を車両前方のドア閉鎖方向へ操作すると既述のように操作ワイヤ６５が引かれて、図４の鎖線から実線で示すように、ラチェット２４とこれに連結された支持体４２が回動させられ、ストッパ体４１が後退させられてストライカ部材３２の開口３２１から抜け出す（図４の矢印）。この時、回動した支持体４２はその爪部４２２がラチェット４３の先端爪部４３２に係合して戻り回動が阻止される。これにより、ストッパ体４１が後退した状態に保持されて中間ストッパ機構は非作動状態となる。この状態でドア開閉ハンドル５をさらにドア閉鎖方向へ引くとスライドドアは車両前方のドア閉鎖方向へ移動させられる。
【００１７】
図２に示すドア中間開放状態からスライドドアをさらに全開位置まで開放したい場合には、一旦ドア開閉ハンドル５をドア閉鎖方向へ操作して上述のように中間ストッパ機構を非作動状態とし、その後、ドア開閉ハンドル５を車両後方のドア開放方向へ操作してスライドドアを同方向へ移動させる。この時、ラチェット２４はバネ力によって図４の鎖線で示すようにその先端２４２が係止凸部２１２の頂面に当接するまで戻るが、支持体４２はその爪部４２２がラチェット４３の先端爪部４３２に係合して戻り回動が阻止されているから、連結部材４４にたるみを生じるだけで、ストッパ体４１は後退した状態に保持される。スライドドアが全開位置に達すると図５に示すようにラッチ２１の切欠き２１１内にストライカピン３１が進入してラッチ２１は車両内方（図５の下方）を向き、この時、ラッチ２１の係止凸部２１２の側面にラチェット２４の先端２４２が係合してラッチ２１の戻り回動が規制される。この結果、スライドドアは閉鎖方向への移動が規制されてドア全開位置で保持される。
【００１８】
ドア全開位置からスライドドアを閉鎖する場合には、ドア開閉ハンドル５を車両前方のドア閉鎖方向へ操作すると操作ワイヤ６５が引かれて、図６の鎖線から実線で示すようにラチェット２４が回動させられ、ラッチ２１との係合が解消される。これにより、ラッチ２１の戻り回動が可能となって、スライドドアの閉鎖方向（図６の左方）への移動に伴いラッチ２１が戻り回動し、ラッチの切欠き２１１内からストライカピン３１が退出する。なお、操作ワイヤ６５が引かれても、連結部材４４の前述したたるみが解消されるだけでストッパ体４１は後退した状態に保持される。この状態でドア開閉ハンドル５をさらにドア閉鎖方向へ引くとスライドドアは車両前方のドア閉鎖方向へ移動させられる。スライドドアがドア全閉位置近くに至ると、ロアガイドレール３４（図３）に設けた復帰ピン３３が図７の鎖線から実線で示すようにラチェット４３に相対的に接近してその側面に当接し、ラチェット４３を、支持体４２との係合を解消するように回動させる（鎖線から実線）。これにより、バネ付勢された支持体４２の回動とこれに伴うストッパ体４１の進出が可能となる。スライドドアはドア全閉位置では公知のドアロック機構によって閉鎖位置に保持される。この状態でドア開閉ハンドル５から手を離すと、操作ワイヤ６５が戻されてラチェット２４はその先端２４２が係止凸部２１２の頂面に当接するまで回動させられるとともに（図７の状態）、支持体４２がバネ付勢力で回動させられてストッパ体４１が進出させられ（図７の矢印）、中間ストッパ機構が作動状態となる。これは、図４に示す中間位置からそのまま閉鎖する場合にも同様に行われる。なお、ドア全閉位置でスライドドアを保持する上記ドアロック機構は、ドア開閉ハンドル５を開放方向へ引くことによってそのロックが解除されるようになっている。
【００１９】
【発明の効果】
以上のように、本発明に係る車両のスライドドアの中間位置保持装置によれば、全開規制されたスライドドアを確実に中間位置で保持できるとともに、中間位置でのドア保持の解消も簡易に行うことができる。
【図面の簡単な説明】
【図１】本発明の一実施形態における中間位置保持装置の構成を示す斜視図である。
【図２】中間位置保持装置の中間ストッパ機構と全開保持機構の平面図である。
【図３】中間位置保持装置の自動復帰機構の斜視図である。
【図４】中間位置保持装置の中間ストッパ機構と全開保持機構の作動を示す平面図である。
【図５】中間位置保持装置の中間ストッパ機構と全開保持機構の作動を示す平面図である。
【図６】中間位置保持装置の中間ストッパ機構と全開保持機構の作動を示す平面図である。
【図７】中間位置保持装置の中間ストッパ機構と全開保持機構の作動を示す平面図である。
【符号の説明】
３２…ストライカ部材、３３…復帰ピン、４１…ストッパ体、４２…支持体、４３…ラチェット、５…ドア開閉ハンドル。
【図１】
0003719248.tif 000002
【図２】
0003719248.tif 000003
【図３】
0003719248.tif 000004
【図４】
0003719248.tif 000005
【図５】
0003719248.tif 000006
【図６】
0003719248.tif 000007
【図７】
0003719248.tif 000008